(57)【要約】【課題】ユーザにコンテンツ提供エリアを提示するにあたり、適したエリアを決定が容易なように提示する。【解決手段】ユーザがコンテンツを要求する際に、ナビゲーション画面１１１上においてコンテンツの提供エリアの候補を提示する方法であって、提供エリアの候補をユーザ側が設定する選択基準にしたがって表示する。【選択図】  図１
2004163403.tif 000002
【特許請求の範囲】
【請求項１】
ユーザがコンテンツを要求する際に、ナビゲーション画面上において前記コンテンツの提供エリアの候補を提示する方法であって、前記提供エリアの候補をユーザ側が設定する選択基準にしたがって表示することを特徴とするコンテンツ提供エリアの提示方法。
【請求項２】
前記選択基準は、走行経路情報に基づくことを特徴とする請求項１記載のコンテンツ提供エリアの提示方法。
【請求項３】
前記選択基準は、車両情報に基づくことを特徴とする請求項１記載のコンテンツ提供エリアの提示方法。
【請求項４】
前記選択基準は、時刻情報に基づくことを特徴とする請求項１記載のコンテンツ提供エリアの提示方法。
【請求項５】
前記選択基準は、前記コンテンツの受信エリアに関連する情報に基づくことを特徴とする請求項１記載のコンテンツ提供エリアの提示方法。
【請求項６】
前記コンテンツの受信エリアに関連する情報は、駐車場の空き情報であることを特徴とする請求項５記載のコンテンツ提供エリアの提示方法。
【請求項７】
前記コンテンツの受信エリアに関連する情報は、基幹施設の処理能力であることを特徴とする請求項５記載のコンテンツ提供エリアの提示方法。
【請求項８】
前記選択基準は、コンテンツの配信準備時間に基づくことを特徴とする請求項１記載のコンテンツ提供エリアの提示方法。
【請求項９】
前記選択基準は、コンテンツのダウンロード時間に基づくことを特徴とする請求項１記載のコンテンツ提供エリアの提示方法。
【発明の詳細な説明】
【０００１】
【技術分野】
本発明は、ユーザから取得要求のあったコンテンツをネットワーク上のコンテンツサーバからユーザ端末へ配信する際に、そのコンテンツ提供エリアをユーザのナビゲーション画面に提示する方法に関する。
【０００２】
【背景技術】
ダイヤルアップ回線等を介してユーザ端末をインターネットへ接続し、コンテンツをダウンロードする方法として同時閲覧型手法と事前蓄積型手法とが知られている。後者の事前蓄積型手法は、ユーザの要求に応答してネットワーク上のコンテンツサーバから入手したコンテンツを、モバイル端末に近い場所に配置されたキャッシュサーバに事前に一時記憶させ、その後、このコンテンツを所望のタイミングでキャッシュサーバからモバイル端末へダウンロードする方式であり、同時閲覧型手法に比べて回線接続時間が短いといった利点がある。
【０００３】
この種のコンテンツ提供方法としては、たとえば特開２００２−４９７６６号公報や特開平１１−２７２７１１号公報に記載されたものが知られている。
【０００４】
しかしながら、この従来の方法では、ユーザはコンテンツを受信する場所を選択決定する際に、常に周辺の情報をよく知っている地域にいるとは限らず、周辺の情報をよく知らない場所にいるときなどは何を基準にしてコンテンツ受信場所を選択決定すべきか悩むことがあった。
【０００５】
また、周辺の情報についてよく知っている地域にいる場合でも、コンテンツを受信する場所がたくさんある地域では、一覧から最も適したコンテンツ受信場所を選択することは非常に困難であった。
さらに、コンテンツ受信場所へ移動したものの、要求したコンテンツがまだ配信可能となっていないことや、移動先のコンテンツ受信場所にネットワーク容量を越えた処理が集中していることにより、自分の要求した処理が完了するまでに時間を要したり、あるいはコンテンツ受信場所に多数の駐車車両があり自車が駐車するスペースがないといった問題があった。
【０００６】
また、コンテンツ受信場所を推奨されても、なぜそのコンテンツ受信場所が推奨されたのかわからず、推奨されたコンテンツ受信場所の中から選択すべきかどうかの判断がつきにくいことがあった。
【０００７】
【発明の開示】
本発明は、ユーザにコンテンツ提供エリアを提示するにあたり、適したエリアを決定が容易なように提示することを目的とする。
【０００８】
上記目的を達成するために、本発明は、ユーザがコンテンツを要求する際に、ナビゲーション画面上においてコンテンツの提供エリアの候補を提示する方法であって、コンテンツの提供エリアの候補を、ユーザ側が設定する選択基準にしたがって表示することを特徴とするものである。
【０００９】
本発明では、ユーザに対してコンテンツの提供エリアの候補を提示するに際し、そのユーザが設定した選択基準にしたがって提供エリアの候補を提示するので、提示された候補に対して当該ユーザが戸惑ったりすることがなく、コンテンツの提供に適したエリアを容易に決定することができる。
【００１０】
【発明の実施の形態】
以下、本発明の実施形態を図面に基づいて説明する。
第１実施形態
図１は、第１実施形態のコンテンツ提供エリアの提示方法を用いた提示システムの構成を示すシステムブロック図である。全体的な提示システムとしては、車載端末装置１００とセンターシステム１５０から構成されている。
車載端末装置１００は、全体を制御する制御部１０１と、無線通信装置１０２と、目的地入力手段１０３と、道路地図データ１０４と、現在位置取得装置１０５と、走行経路計算装置１０６と、制御部に接続された走行経路記憶装置１０７と、コンテンツ選択手段１０８と、コンテンツ受信場所選択基準設定手段１０９と、アクセスポイント選択手段１１０と、表示手段１１１とを有し、無線通信装置１０２を介して管理サーバ１５３にアクセスすることができる。
【００１１】
このうち、目的地入力手段１０３、道路地図データ１０４、現在位置取得装置１０５、走行経路計算装置１０６、走行経路記憶装置１０７及び表示手段１１１はナビゲーション装置で構成することができる。ただし、既設のナビゲーション装置を共用せずに専用の装置として構成しても良い。
【００１２】
コンテンツ選択手段１０８は、音楽などのコンテンツの一覧を表示してユーザが欲するコンテンツを選択するものであり、マイクロコンピュータ及びディスプレイなどの表示手段で構成することができる。
【００１３】
また、コンテンツ受信場所選択基準設定手段１０９は、コンテンツ受信場所を選択するにあたりユーザが希望する選択基準を入力するもので、入力ボタン及びディスプレイなどの表示手段で構成することができる。
【００１４】
アクセスポイント選択手段１１０は、表示手段１１１に表示されたコンテンツ受信場所の中からユーザが希望する場所を選択するためのもので、入力ボタン及びディスプレイなどの表示手段で構成することができる。
【００１５】
センターシステム１５０は、ルータ１５２ａを介してインターネット１５１に接続されているキャッシュサーバ１５４ａ、１５４ｂ、１５４ｃと、キャッシュサーバ１５４ａ、１５４ｂ、１５４ｃに接続され、地理的に分散配置された複数の無線アクセスポイントと、ルータ１５２ａを介してインターネット１５１に接続されている管理サーバ１５３と、インターネットに接続されたコンテンツサーバ１５５ａを有する。
【００１６】
なお、コンテンツサーバ１５５ａは、管理サーバ１５３と同一のネットワークに存在してもよい。また、管理サーバ１５３は機能ごとに分割して設置されていてもよい。
本明細書においては、無線アクセスポイントが設置された施設を「コンテンツ受信場所」と称するが、これは本発明のコンテンツの提供エリアに相当する。
【００１７】
本実施形態では、コンテンツ受信場所の選択基準として「コンテンツ受信場所に立ち寄ることによる、ナビゲーション装置に登録された走行経路に対する走行距離増加量の少ない順に案内する」が設定された場合の、車両からのコンテンツ要求を考える。すなわち、走行経路に基づいてコンテンツ受信場所を選択するもので、なかでも走行距離が短い順にコンテンツ受信場所を提示するものである。
【００１８】
なお、以下の説明において、コンテンツ受信場所選択基準に基づくコンテンツ受信場所一覧を、特別推奨情報またはコンテンツ受信場所特別推奨一覧ともいう。
【００１９】
図２は本実施形態における車載端末装置１００の表示手段１１１の一例を示したものであり、本実施形態のコンテンツ受信場所選択画面では以下の表示が用意されている。同図において、Ｄ２０１は現在時刻の表示、Ｄ２０２は要求コンテンツのプロパティ、Ｄ２０３はコンテンツ受信場所の一覧である。このコンテンツ受信場所一覧Ｄ２０３においては、そこに立ち寄ることによる走行距離の増加量が併記されており、コンテンツ受信場所を選ぶ際にこの表示を参考にすることができる。そして、所望のコンテンツ受信場所をＤ２０３に示される一覧の中から選択する。
Ｄ２０４は特別推奨情報キャンセルボタンである。本実施形態では、コンテンツ受信場所へ立ち寄ることによるナビゲーション装置に登録された走行経路に対する走行距離増加量の少ない順にコンテンツ受信場所特別推奨一覧を表示しているが、ユーザが表示されたコンテンツ受信場所に立ち寄りたくないときは、このキャンセルボタンＤ２０４を押すことにより、コンテンツ受信場所特別推奨一覧をキャンセルし、現在位置からの直線距離の近い順にコンテンツ受信場所の一覧を表示する。
Ｄ２０５は自車位置周辺の地図、Ｄ２０６は自車位置を表すアイコン、Ｄ２０７はコンテンツ受信場所の位置を示すアイコンとコンテンツ受信場所への誘導経路である。これらは、コンテンツ受信場所についての付加情報として利用することができる。
【００２０】
本実施形態では、走行距離の増加量に基づいて案内するコンテンツ受信場所一覧を表示しているため、コンテンツ受信場所を示すアイコンや現在位置からコンテンツ受信場所への誘導経路に用いている色Ｄ２０７とコンテンツ受信場所付加情報Ｄ２０８とが同じ色で表示され、関連をもって目立つような表示となっている。他の方法としては、これら二つの表示を線で結ぶとか、同色のアンダーラインで強調するとか、同一のアイコンをつけるなどの方法を採用することができる。これにより、関連する情報が一目で認識され、選択決定する際に便利である。
【００２１】
次に図３を参照しながらセンターシステム１５０の処理フローを説明する。図３は本実施形態に係るセンターシステム１５０における情報処理手順を示すフローチャートである。
【００２２】
まず、ステップＦ３０１にてユーザの車載端末装置１００からコンテンツ要求を受けると、管理サーバ１５３は、コンテンツサーバ１５５ｂに対して、要求されたコンテンツが配信可能であるかどうかを当該コンテンツサーバ１５５ｂに問い合わせる（ステップＦ３０２）。ここで、コンテンツ配信が不可能であれば、車載端末装置１００にコンテンツが利用できないことを通知する（ステップＦ３０３〜Ｆ３０４）。
ステップＦ３０３において、コンテンツ配信が可能であれば、次に車載端末装置１００からコンテンツ受信場所選択基準を受信する（ステップＦ３０５）。そして、受信したコンテンツ受信場所選択基準に基づき、コンテンツ受信場所一覧を作成する（ステップＦ３０６）。このとき、コンテンツ要求車両の現在位置からの直線距離の短い順のコンテンツ受信場所一覧もあわせて作成しておく（ステップＦ３０６）。
次いで、ステップＦ３０６にて作成したコンテンツ一覧を車載端末装置１００に通知し（ステップＦ３０７）、コンテンツ受信場所の決定結果を車載端末装置１００より受信する（ステップＦ３０８）。その後、課金処理を行い（ステップＦ３０９）、コンテンツサーバ１５５ｂにコンテンツ配信を要求する（ステップＦ３１０）。また、車載端末装置１００に受付完了通知を送信する。（ステップＦ３１１）。
【００２３】
次に、図４を参照しながら車載端末装置１００の処理フローを説明する。図４は本実施形態に係る車載端末装置１００における情報処理手順を示すフローチャートである。
【００２４】
まず、図２に示す車載端末装置１００の表示手段１１１にコンテンツ一覧を表示する（ステップＦ４０１）。ユーザは表示されたコンテンツ一覧から欲しいコンテンツを選択し、コンテンツが選択されたら、車載端末装置１００は管理サーバ１５３にこのコンテンツが利用可能であるか問い合わせる(ステップＦ４０２)。
【００２５】
要求したコンテンツが利用可能でない旨の通知を受けたときは、車載端末装置１００にコンテンツが利用できない旨を表示する（ステップＦ４０３〜Ｆ４０４）。
ステップＦ４０３において、要求したコンテンツが利用可能であるときは、車載端末装置１００は走行経路記憶装置１０７に記憶された目的地と走行経路を取得する（ステップＦ４０５）。そして、車載端末装置１００は、コンテンツ受信場所選択基準として「コンテンツ受信場所に立ち寄ることによる、走行距離の増加を最小限にする」を管理サーバ１５３に通知し、同時に現在位置と走行経路も通知する（ステップＦ４０６）。これは車載端末装置１００の現在位置取得装置１０５及び走行経路計算装置１０５から送出される。
【００２６】
管理サーバ１５３では、コンテンツ要求車両の到着目的地と走行経路に基づいて、コンテンツ受信場所に立ち寄ることによる走行距離の増加量の少ない順にコンテンツ受信場所特別推奨一覧とコンテンツ要求車両からの直線距離の短い順にコンテンツ受信場所一覧を作成し、車載端末装置１００に送信する（上述したステップＦ３０７）。
車載端末装置１００は、コンテンツ受信場所特別推奨一覧および、コンテンツ受信場所一覧を受信し（ステップＦ４０７）、コンテンツ受信場所特別推奨一覧を表示部分Ｄ２０３に表示する（ステップＦ４０８）。
ここで、ユーザが表示手段１１１に表示中のコンテンツ受信場所特別推奨一覧より選択せずに、特別推奨情報キャンセルボタンＤ２０４を押した場合には、上述したステップＦ３０７で受信した直線距離に基づく一覧を表示する（ステップＦ４１０）。
ステップＦ４０９においてコンテンツ受信場所特別推奨一覧より所望のコンテンツ受信場所を選択した場合又はステップＦ４１０にて表示された直線距離一覧から所望のコンテンツ受信場所を選択した場合、車載端末装置１００は選択されたコンテンツ受信場所を管理サーバに通知する（ステップＦ４１１）。
そして、管理サーバ１５３より受付完了通知を受け取り（ステップＦ４１２）、コンテンツ受信場所へ移動して、当該コンテンツ受信場所にてコンテンツを受け取ることにより、以上の処理を終了する（ステップＦ４１３）。
このように、本実施形態によれば、ユーザがコンテンツ受信場所を決定する際にコンテンツ受信場所に関係する情報を入手できるため、適切なコンテンツ受信場所を選択することができる。特に、走行中にコンテンツ受信場所に立ち寄ったとしても、ナビゲーション装置に設定した走行経路の変化量（走行距離の増加量）を最小限にすることができる。
なお、上述した第１実施形態においてはコンテンツ受信場所の選択基準を走行距離の短さとしたが、これを走行時間の短さにすることも可能である。
【００２７】
すなわち、希望するコンテンツの配信が可能であるときに、コンテンツ受信場所の選択基準として「コンテンツ受信場所に立ち寄ることによる、走行時間の増加を最小限にする」を管理サーバ１５３に通知し、同時に現在位置と走行経路も通知する。そして、管理サーバ１５３では、コンテンツ要求車両の到着目的地と走行経路に基づいて、コンテンツ受信場所に立ち寄ることによる走行時間の増加量の少ない順にコンテンツ受信場所特別推奨一覧を作成し、車載端末装置１００に送信する。こうすることで、走行中にコンテンツ受信場所に立ち寄ったとしても、ナビゲーション装置に設定した走行経路の走行時間の増加量を最小限にすることができる。
【００２８】
これら走行距離及び走行時間は、本発明に係る走行経路情報に含まれる。
第２実施形態
図５は本発明の第２実施形態のコンテンツ提供エリアの提示方法を用いた提示システムの構成を示すシステムブロック図である。第１実施形態との差異は、車載端末装置５００に車両情報取得装置５１２および車両情報対応処理記憶装置５１３が接続されている点であり、センターシステム５５０の構成は第１実施形態と同じである。
本実施形態に係る車両情報取得装置５１２はワイパーの駆動を検出するもので、当該ワイパーが駆動していると雨降り（雨天）であると認識する。また、車両情報対応処理記憶装置５１３は、車両情報取得装置５１２により雨降りであると認識されたとき、雨降りに応じたコンテンツ受信場所を抽出するものである。具体的には、屋内施設に併設されたコンテンツ受信場所が記憶されている。
【００２９】
本実施形態では、コンテンツ受信場所選択基準として「車両情報に応じたコンテンツ受信場所に案内する」が設定された場合、雨降りの中を走行中にコンテンツ要求を出した場合について考える。
図６は本実施形態における車載端末装置５００の表示手段５１１の一例を示したものであり、本実施形態のコンテンツ受信場所選択画面では以下の表示が用意されている。同図において、Ｄ６０１は現在時刻の表示、Ｄ６０２は要求コンテンツのプロパティである。
本実施形態では、コンテンツ受信場所選択基準として車両情報に応じたコンテンツ受信場所に案内するにあたり、雨降りを検出したときは、その結果として屋内施設を案内しているため、特別推奨情報のコンテンツ受信場所種別Ｄ６０３は雨降りを意味する「傘マークＤ６０５」と線Ｄ６０４とで結ばれており、関連をもって目立つ表示となっている。これにより、関連する情報が一目で認識され、選択決定する際に便利である。
【００３０】
そして、コンテンツ受信場所をＤ６０６に示される一覧の中から選択するが、本実施形態では、屋内施設に併設されたコンテンツ受信場所一覧を屋内施設の種類とともに表示しているので、コンテンツ受信場所を選択する際の判断基準として用いることができる。
Ｄ６０７は特別推奨情報キャンセルボタンであり、ユーザが表示されたコンテンツ受信場所に立ち寄りたくないときは本ボタンを押すことにより特別推奨情報をキャンセルし、現在位置からの直線距離の近い順にコンテンツ受信場所の一覧を表示する。
Ｄ６０８は自車位置周辺の地図、Ｄ６０９は自車位置を表すアイコン、Ｄ６１０はコンテンツ受信場所の位置を示すアイコンである。これらの表示は、コンテンツ受信場所についての付加情報として利用することができる。
【００３１】
次に作用について説明する。なお、センターシステム５５０の処理フローは、第１実施形態で説明した図３と同様であるため、ここでは図７を参照しながら、車載端末装置５００の処理フローを説明する。
【００３２】
まず、図６に示す車載端末装置５００の表示手段５１１にコンテンツ一覧を表示する（ステップＦ７０１）。ユーザは表示されたコンテンツ一覧から欲しいコンテンツを選択し、コンテンツが選択されたら、車載端末装置５００は管理サーバ５５３にコンテンツが利用可能であるか問い合わせる(ステップＦ７０２)。
【００３３】
要求したコンテンツが利用可能でない旨の通知を受けたときは、車載端末装置５００にコンテンツが利用できない旨を表示する（ステップＦ７０３〜Ｆ７０４）。
ステップＦ７０３において、要求したコンテンツが利用可能であるときは、コンテンツ受信場所選択基準として「車両情報に応じたコンテンツ受信場所に案内する」が登録されていることに基づき、車両情報取得装置５１２から雨降りであるかどうかを検出し、車両情報対応処理記憶装置５１３から雨降りに対応する処理を取得する（ステップＦ７０５）。
車両情報取得装置５１２は既述したようにワイパーと接続されており、ワイパーが動作しているときを雨降りとして認識する。ただし、ワイパーによる他、降雨センサーなどを用いて雨降りであることを検出してもよい。
本実施形態においては、雨降りのときに対応する処理として、屋内施設に併設されたコンテンツ受信場所への誘導が車両情報対応処理記憶装置５１３に設定されている。そして、この「コンテンツ要求車両付近は屋内施設であること」の選択基準を、現在位置取得装置５０５から検出した現在位置とともに、管理サーバ５５３に通知する（ステップＦ７０６）。
【００３４】
管理サーバ５５３では、屋内施設に併設されたコンテンツ受信場所特別推奨一覧とコンテンツ要求車両からの直線距離の短い順にコンテンツ受信場所一覧を作成し、車載端末装置５００へ送信する。
車載端末装置５００はコンテンツ受信場所特別推奨一覧および、コンテンツ受信場所一覧を受信し（ステップＦ７０７）、コンテンツ受信場所特別推奨一覧を表示部分Ｄ６０６に表示する（ステップＦ７０８）。
ここで、ユーザが表示中のコンテンツ受信場所特別推奨一覧より選択せずに、特別推奨情報キャンセルボタンＤ６０７を押した場合には、直線距離に基づく一覧を表示する（ステップＦ７１０）。
ステップＦ７０９においてコンテンツ受信場所特別推奨一覧より所望のコンテンツ受信場所を選択した場合又はステップＦ７１０にて表示された直線距離一覧から所望のコンテンツ受信場所を選択した場合、車載端末装置５００は選択されたコンテンツ受信場所を管理サーバに通知する（ステップＦ７１１）。
そして、管理サーバ５５３より受付完了通知を受け取り（ステップＦ７１２）、コンテンツ受信場所へ移動して、当該コンテンツ受信場所にてコンテンツを受け取ることにより、以上の処理を終了する（ステップＦ７１３）。
このように、本実施形態によれば、時々刻々と変化する車両の情報をドライバーより先に入手し、ドライバーの意思を先読みしたコンテンツ受信場所の推奨を行うことができる。
【００３５】
なお、上述した第２実施形態においては、車両情報として雨天かどうかを用いたが、これをガソリン残量に変更することも可能である。
【００３６】
すなわち、車載端末装置５００が車両情報取得装置５１２からガソリン残量が減少していることを検出し、車両情報対応処理記憶装置５１３からガソリン残量少に対応する処理を取得すると、車載端末装置５００は管理サーバ５５３にガソリンスタンドに併設されたコンテンツ受信場所への誘導を通知するように構成しても良い。こうすることで、ガソリンを補給しながらコンテンツの受信をも同時に行うことができる。
【００３７】
これら雨天情報やガソリン残量情報は、本発明に係る車両情報に含まれる。
第３実施形態
図８は本発明の第３実施形態のコンテンツ提供エリアの提示方法を用いた提示システムの構成を示すシステムブロック図である。第１実施形態との差異は車載端末装置８００に時刻対応処理記憶装置８１２と時計８１３が接続されている点であり、センターシステム８５０の構成は第１実施形態と同じである。
本実施形態に係る時刻対応処理記憶装置８１２は、時計８１３により検出された時刻に応じたイベントに関係するコンテンツ受信場所を抽出するものである。具体的には、食事時の時刻であればレストランなどの給食施設に併設されたコンテンツ受信場所が記憶されている。
【００３８】
本実施形態では、コンテンツ受信場所選択基準として「時刻に応じたイベントによるコンテンツ受信場所に案内する」が設定された場合に、午前１１時から午後１時の間にコンテンツ要求を出した場合について考える。
図９は本実施形態における車載端末装置８００の表示手段８１１の一例を示したものであり、本実施形態のコンテンツ受信場所選択画面では以下の表示が用意されている。同図において、Ｄ９０１は現在時刻の表示、Ｄ９０２は要求コンテンツのプロパティである。
本実施形態では、コンテンツ受信場所の選択基準として現在時刻を利用しているため、特別推奨情報としてのコンテンツ受信場所種別Ｄ９０８と現在時刻Ｄ９０１とが同じ背景色で表示されており、関連をもって目立つ表示となっている。これにより、関連する情報が一目で認識され、選択決定する際に便利である。
【００３９】
そして、コンテンツ受信場所をＤ９０３に示される一覧の中から選択するが、コンテンツ受信場所は、それぞれ給食可能施設の種類と併記されているので、コンテンツ受信場所決定の際の判断基準として用いることができる。
Ｄ９０４は特別推奨情報キャンセルボタンであり、ユーザが表示されたコンテンツ受信場所に立ち寄りたくないときは本ボタンＤ９０４を押すことにより特別推奨情報をキャンセルし、現在位置からの直線距離の近い順にコンテンツ受信場所の一覧を表示する。
Ｄ９０５は自車位置周辺の地図、Ｄ９０６は自車位置を表すアイコン、Ｄ９０７はコンテンツ受信場所の位置を示すアイコンである。これらの表示は、コンテンツ受信場所についての付加情報として利用することができる。
【００４０】
次に作用について説明する。なお、センターシステムの処理フローは、第１実施形態で説明した図３と同様であるため、ここでは図１０を参照しながら、車載端末装置８００の処理フローを説明する。
【００４１】
まず、図９に示す車載端末装置８００の表示手段８１１にコンテンツ一覧を表示する（ステップＦ１００１）。ユーザは表示されたコンテンツ一覧から欲しいコンテンツを選択し、コンテンツが選択されたら、車載端末装置８００は管理サーバ８５３にコンテンツが利用可能であるか問い合わせる(ステップＦ１００２)。
【００４２】
要求したコンテンツが利用可能でない旨の通知を受けたときは、車載端末装置８００にコンテンツが利用できない旨を表示する（ステップＦ１００４）。
ステップＦ１００３において、要求したコンテンツが利用可能であるときは、コンテンツ受信場所選択基準として「時刻に応じたイベントによるコンテンツ受信場所推奨」が登録されていることに基づき、時計８１３から時刻と時刻対応処理記憶装置８１２から時刻に対応する処理を取得する。（ステップＦ１００５）。
時刻対応処理記憶装置８１２に設定された処理に基づき、管理サーバ８５３に時刻に対応する処理を通知する。本実施形態においては、午前１１時から午後１時の間に対応する処理として、給食可能施設への誘導が時刻対応処理記憶装置８１２に設定されている。そして、現在位置とともに管理サーバ８５３に時刻に対応する処理を通知する。（ステップＦ１００６）
管理サーバ８５３では、給食可能施設に併設されたコンテンツ受信場所または近くに給食可能施設が存在するコンテンツ受信場所特別推奨一覧とコンテンツ要求車両からの直線距離の短い順にコンテンツ受信場所一覧を作成し、車載端末装置８００に送信する。
車載端末装置８００は、コンテンツ受信場所特別推奨一覧および、コンテンツ受信場所一覧を受信し（ステップＦ１００７）、コンテンツ受信場所特別推奨一覧を表示部分Ｄ９０３に表示する（ステップＦ１００８）。
ここで、ユーザが表示中のコンテンツ受信場所特別推奨一覧より選択せずに、特別推奨情報キャンセルボタンＤ９０４を押した場合には、直線距離に基づく一覧を表示する（ステップＦ１０１０）。
ステップＦ１００９においてコンテンツ受信場所特別推奨一覧より所望のコンテンツ受信場所を選択した場合又はステップＦ１０１０にて表示された直線距離一覧から所望のコンテンツ受信場所を選択した場合、車載端末装置８００は選択されたコンテンツ受信場所を管理サーバ８５３に通知する（ステップＦ１０１１）。
そして、管理サーバ８５３より受付完了通知を受け取り（ステップＦ１０１２）、コンテンツ受信場所へ移動して、当該コンテンツ受信場所でコンテンツを受け取ることにより、以上の処理を終了する（ステップＦ１０１３）。
このように、本実施形態によれば、時刻に応じて発生する食事などのイベントにあわせて、これと並行してコンテンツ受信を行うことができる。
第４実施形態
図１１は本発明の第４実施形態のコンテンツ提供エリアの提示方法を用いた提示システムの構成を示すシステムブロック図である。第１実施形態との差異はセンターシステム１１５０にコンテンツ受信場所情報取得装置１１５６が接続されている点であり、車載端末装置１１００の構成は第１実施形態と同じである。
本実施形態に係るコンテンツ受信場所情報取得装置１１５６は、各無線アクセスポイントの周囲の状況、具体的には駐車スペースの空き情報を取得するもので、この取得された情報は管理サーバ１１５３に送出される。
【００４３】
本実施形態では、コンテンツ受信場所選択基準として「コンテンツ受信場所の駐車スペースに空きがあること」が設定された場合の、車両からのコンテンツ要求を考える。
図１２は本実施形態における車載端末装置１１００の表示手段１１１１の一例を示したものであり、本実施形態のコンテンツ受信場所選択画面では以下の表示が用意されている。同図において、Ｄ１２０１は現在時刻の表示、Ｄ１２０２は要求コンテンツのプロパティである。
本実施形態では、コンテンツ受信場所の選択基準としてコンテンツ取得場所の駐車スペースに空きがあることを利用しているため、特別推奨情報としてのコンテンツ受信場所種別Ｄ１２０３と地図上には駐車スペースを意味するアイコンＤ１２０９が表示されており、関連をもって目立つ表示となっている。これにより、関連する情報が一目で認識され、選択決定する際に便利である。
【００４４】
そして、コンテンツ受信場所をＤ１２０４に示される一覧の中から選択するが、本実施形態では、駐車スペースに空きのあるコンテンツ受信場所と空きスペースの数の一覧を表示しているので、コンテンツ受信場所を選択する際の判断基準として用いることができる。
Ｄ１２０５は特別推奨情報キャンセルボタンであり、ユーザが表示されたコンテンツ受信場所に立ち寄りたくないときは本ボタンＤ１２０５を押すことにより特別推奨情報をキャンセルし、現在位置からの直線距離の近い順にコンテンツ受信場所の一覧を表示する。
Ｄ１２０６は自車位置周辺の地図、Ｄ１２０７は自車位置を表すアイコン、Ｄ１２０８はコンテンツ受信場所の位置を示すアイコンである。これらの表示は、コンテンツ受信場所についての付加情報として利用することができる。
【００４５】
次に図１３を参照しながらセンターシステムの処理フローを説明する。図１３は本実施形態に係るセンターシステム１１５０における情報処理手順を示すフローチャートである。
【００４６】
まず、ステップ１３０１にてユーザの車載端末装置１１００からコンテンツ要求を受けると、管理サーバ１１５３は、コンテンツサーバ１１５５ｂに要求されたコンテンツが配信可能であるか問い合わせる（ステップＦ１３０２）。ここで、コンテンツ配信が不可能であれば、車載端末装置１１００にコンテンツが利用できないことを通知する（ステップＦ１３０４）。
ステップＦ１３０３において、コンテンツ配信が可能であれば、次に車載端末装置１１００からコンテンツ受信場所選択基準を受信する（ステップＦ１３０５）。本実施形態では、コンテンツ受信場所の駐車スペースに空きがあることという条件に基づき、アクセスポイントに併設されたコンテンツ受信場所情報取得装置１１５６を用いてコンテンツ受信場所の駐車スペースの調査を行う（ステップＦ１３０６）。そして、この調査結果に基づき、コンテンツ受信場所一覧を作成する（ステップＦ１３０７）。このとき、コンテンツ要求車両の現在位置からの直線距離の短い順のコンテンツ受信場所一覧もあわせて作成しておく（ステップＦ１３０７）。
ステップＦ１３０７にて作成したコンテンツ一覧を車載端末装置１１００に通知し（ステップＦ１３０８）、コンテンツ受信場所の決定結果を車載端末装置１１００より受信する（ステップＦ１３０９）。その後、課金処理を行い（ステップＦ１３１０）、コンテンツサーバ１１５５ｂにコンテンツ配信を要求する（ステップＦ１３１１）。また、車載端末装置１１００に受付完了通知を送信する。（ステップＦ１３１２）。
【００４７】
次に図１４を参照しながら車載端末装置１１００の処理フローを説明する。図１４は本実施形態に係る車載端末装置１１００における情報処理手順を示すフローチャートである。
【００４８】
まず、図１２に示す車載端末装置１１００の表示手段１１１１にコンテンツ一覧を表示する（ステップＦ１４０１）。ユーザは表示されたコンテンツ一覧から欲しいコンテンツを選択し、コンテンツが選択されたら、車載端末装置１１００は管理サーバ１１５３にコンテンツが利用可能であるか問い合わせる(ステップＦ１４０２)。
【００４９】
要求したコンテンツが利用可能でない旨の通知を受けたときは、車載端末装置１１００にコンテンツが利用できない旨を表示する（ステップＦ１４０４）。
ステップＦ１４０４において、要求したコンテンツが利用可能であるときは、コンテンツ受信場所選択基準として「コンテンツ受信場所の駐車スペースに空きがあること」を管理サーバ１１５３に通知し、同時に現在位置も通知する（ステップＦ１４０５）。
管理サーバ１１５３では、コンテンツ受信場所のコンテンツ受信場所情報取得手段１１５６を用いて駐車スペースの空きを調査し、その結果に基づき駐車スペースに空きのあるコンテンツ受信場所特別推奨一覧とコンテンツ要求車両からの直線距離の短い順にコンテンツ受信場所一覧を作成し、車載端末装置１１００に送信する（上述したステップＦ１３０８）。
車載端末装置１１００は、コンテンツ受信場所特別推奨一覧および、コンテンツ受信場所一覧を受信し（ステップＦ１４０６）、コンテンツ受信場所特別推奨一覧を表示部分Ｄ１２０４に表示する（ステップＦ１４０７）。
ここで、ユーザが表示中のコンテンツ受信場所特別推奨一覧より選択せずに、特別推奨情報キャンセルボタンＤ１２０５を押した場合には、上述したステップＦ１３０８にて受信した直線距離に基づく一覧を表示する（ステップＦ１４０９）。
ステップＦ１４０８においてコンテンツ受信場所特別推奨一覧より所望のコンテンツ受信場所を選択した場合又はステップＦ１４０９にて表示された直線距離一覧から所望のコンテンツ受信場所を選択した場合、車載端末装置１１００は選択されたコンテンツ受信場所を管理サーバ１１５３に通知する（ステップＦ１４１０）。
そして、管理サーバ１１５３より受付完了通知を受け取り（ステップＦ１４１１）、コンテンツ受信場所へ移動して、当該コンテンツ受信場所でコンテンツを受け取ることにより、以上の処理を終了する（ステップＦ１４１２）。
このように、本実施形態によれば、駐車スペースの空き情報を確認した上で駐車スペースのあるコンテンツ受信場所に行けるので、当該コンテンツ受信場所に到着した後、最短の通信時間でコンテンツの受信を行うことができる。
なお、上述した第４実施形態においては、コンテンツの受信エリアに関する情報として駐車スペースの空き情報を採用したが、これをコンテンツ受信場所の無線アクセスポイントの処理容量に余裕があることにすることも可能ある。
【００５０】
すなわち、車載端末装置１１００はコンテンツ受信場所の無線アクセスポイントの処理容量に余裕のあることをコンテンツ受信場所の選択基準として管理サーバ１１５３へ通知する。
管理サーバ１１５３は、コンテンツ受信場所一覧を作成する際に、コンテンツ受信場所情報取得装置１１５６を通じて、コンテンツ受信場所に設置された無線アクセスポイントの通信処理待ちタスク量を取得し、管理サーバ１１５３が特別推奨情報としてコンテンツ受信場所一覧を作成する際に、無線アクセスポイントの処理容量に余裕のあるコンテンツ受信場所一覧を作成し、車載端末装置１１００に通知するように構成しても良い。こうすることで、コンテンツ受信場所における受信時間が短縮される。
【００５１】
これら駐車スペースの空き情報やコンテンツ受信場所の処理能力は、本発明に係る受信エリアに関連する情報に含まれる。
第５実施形態
図１５は本発明の第５実施形態のコンテンツ提供エリアの提示方法を用いた提示システムの構成を示すシステムブロック図である。第１実施形態との差異はセンターシステム１５５０にコンテンツ準備完了推測手段１５５６が接続されていることであり、車載端末装置１５００の構成は第１実施形態と同じである。
本実施形態に係るコンテンツ準備完了推測装置１５５６は、ユーザからの要求に応じてコンテンツサーバ１５５５ｂから目的とするキャッシュサーバ１５５４ａ，ｂ，ｃであるコンテンツ受信場所へコンテンツを準備するまでに要する時間を検出するものである。
【００５２】
本実施形態では、コンテンツ受信場所選択基準として「コンテンツ受信場所到着時にコンテンツ準備が完了していること」が設定された場合の、車両からのコンテンツ要求を考える。
図１６は本実施形態における車載端末装置１６００の表示手段１６１１の一例を示したものであり、本実施形態のコンテンツ受信場所選択画面では以下の表示が用意されている。同図において、Ｄ１６０１は現在時刻の表示、Ｄ１６０２は要求コンテンツのプロパティである。
本実施形態では、コンテンツ受信場所の選択基準としてコンテンツ受信場所到着時にコンテンツ準備が完了していることを利用しているため、特別推奨情報としてのコンテンツ受信場所種別Ｄ１６０３とコンテンツ受信可否を意味する表示Ｄ１６０９がされており、関連をもって目立つ表示となっている。これにより、関連する情報が一目で認識され、選択決定する際に便利である。
【００５３】
そして、コンテンツ受信場所をＤ１６０４に示される一覧の中から選択するが、本実施形態では、コンテンツ受信場所一覧をコンテンツ受信可否とともに表示しているので、コンテンツ受信場所を選択する際の判断基準として用いることができる。
Ｄ１６０５は特別推奨情報キャンセルボタンであり、ユーザが表示されたコンテンツ受信場所に立ち寄りたくないときは本ボタンＤ１６０５を押すことにより特別推奨情報をキャンセルし、現在位置からの直線距離の近い順にコンテンツ受信場所の一覧を表示する。
Ｄ１６０６は自車位置周辺の地図、Ｄ１６０７は自車位置を表すアイコン、Ｄ１６０８はコンテンツ受信場所の位置を示すアイコンである。これらの表示は、コンテンツ受信場所についての付加情報として利用することができる。
【００５４】
次に図１７を参照しながらセンターシステム１５５０の処理フローを説明する。図１７は本実施形態に係るセンターシステム１５５０における情報処理手順を示すフローチャートである。
【００５５】
まず、ステップＦ１７０１にてユーザの車載端末装置１５００からコンテンツ要求を受けると、管理サーバ１５５３は、コンテンツサーバ１５５５ｂに要求されたコンテンツが配信可能であるか問い合わせる（ステップＦ１７０２）。ここで、コンテンツ配信が不可能であれば、車載端末装置１５００にコンテンツが利用できないことを通知する（ステップＦ１７０４）。
ステップＦ１７０３において、コンテンツ配信が可能であれば、車載端末装置１５００からコンテンツ受信場所選択基準を受信する（ステップＦ１７０５）。本実施形態においては、コンテンツ受信場所到着時にコンテンツ準備が完了していることという条件に基づき、アクセスポイントに併設されたコンテンツ準備完了推測装置１５５６を用いてコンテンツ受信場所へコンテンツを準備するまでに要する時間を調査する。（ステップＦ１７０６）。そして、この調査結果に基づき、コンテンツ受信場所一覧を作成する（ステップＦ１７０７）。このとき、コンテンツ要求車両の現在位置からの直線距離の短い順のコンテンツ受信場所一覧もあわせて作成する（ステップＦ１７０７）。
ステップＦ１７０７にて作成したコンテンツ一覧を車載端末装置１５００に通知し（ステップＦ１７０８）、コンテンツ受信場所の決定結果を車載端末装置１５００より受信する（ステップＦ１７０９）。その後、課金処理を行い（ステップＦ１７１０）、コンテンツサーバ１５５５ｂにコンテンツ配信を要求する（ステップＦ１７１１）。また、車載端末装置１５００に受付完了通知を送信する。（ステップＦ１７１２）。
【００５６】
次に図１８を参照しながら車載端末装置１５００の処理フローを説明する。図１８は本実施形態に係る車載端末装置１５００における情報処理手順を示すフローチャートである。
【００５７】
まず、図１６に示す車載端末装置１５００の表示手段１５１１にコンテンツ一覧を表示する（ステップＦ１８０１）。ユーザは表示されたコンテンツ一覧から欲しいコンテンツを選択し、コンテンツが選択されたら、車載端末装置１５００は管理サーバ１５５３にコンテンツが利用可能であるか問い合わせる(ステップＦ１８０２)。
【００５８】
要求したコンテンツが利用可能でない旨の通知を受けたときは、車載端末装置１５００にコンテンツが利用できない旨を表示する（ステップＦ１８０４）。
ステップＦ１８０３において、要求されたコンテンツが利用可能であるときは、コンテンツ受信場所選択基準として「コンテンツ受信場所到着時にコンテンツ準備が完了していること」を管理サーバに通知する（ステップＦ１８０５）。
管理サーバ１５５３では、アクセスポイントに併設されたコンテンツ準備完了推測装置１５５６を用いてコンテンツ受信場所へコンテンツを準備するまでに要する時間を調査し、その結果に基づきコンテンツ受信場所到着時に準備が完了しているコンテンツ受信場所特別推奨一覧とコンテンツ要求車両からの直線距離の短い順にコンテンツ受信場所一覧を作成し、車載端末装置１５００に送信する。
車載端末装置１５００は、コンテンツ受信場所特別推奨一覧および、コンテンツ受信場所一覧を受信し（ステップＦ１８０６）、コンテンツ受信場所特別推奨一覧を表示部分Ｄ１６０９に表示する（ステップＦ１８０７）。
ここで、ユーザが表示中のコンテンツ受信場所特別推奨一覧より選択せずに、特別推奨情報キャンセルボタンＤ１６０５を押した場合には、直線距離に基づく一覧を表示する（ステップＦ１８０９）。
ステップＦ１８０８においてコンテンツ受信場所特別推奨一覧より所望のコンテンツ受信場所を選択した場合又はステップＦ１８０９にて表示された直線距離一覧から所望のコンテンツ受信場所を選択した場合、車載端末装置１５００は選択されたコンテンツ受信場所を管理サーバ１５５３に通知する（ステップＦ１８１０）。
そして、管理サーバ１５５３より受付完了通知を受け取り（ステップＦ１８１１）、コンテンツ受信場所へ移動して、当該コンテンツ受信場所でコンテンツを受け取ることにより以上の処理を終了する（ステップＦ１８１２）。
このように、本実施形態によれば、要求するコンテンツサイズによらずに、指定するコンテンツ受信場所にコンテンツを確実に準備することができる。
第６実施形態
図１９は本発明の第６実施形態のコンテンツ提供エリアの提示方法を用いた提示システムの構成を示すシステムブロック図である。第１実施形態との差異はセンターシステム１９５０にダウンロード時間対応処理記憶装置１９５６が接続されている点であり、車載端末装置１９００の構成は第１実施形態と同じである。
本実施形態に係るダウンロード時間対応処理記憶装置１９５６は、ダウンロード時間に応じたイベントがあるコンテンツ受信場所が格納されたものである。たとえば、コンテンツのダウンロード時間が長い場合には、喫茶店、映画館、レストランなどの近くのコンテンツ受信場所が記憶されている。
【００５９】
本実施形態では、コンテンツ受信場所選択基準として「ダウンロード時間に応じたコンテンツ受信場所でダウンロードをすること」が設定された場合の、車両からのコンテンツ要求を考える。
図２０は本実施例における車載端末装置２０００の表示手段１９１１の一例を示したものであり、本実施形態のコンテンツ受信場所選択画面では以下の表示が用意されている。同図において、Ｄ２００１は現在時刻の表示、Ｄ２００２は要求コンテンツのプロパティである。
本実施形態では、コンテンツ受信場所の選択基準としてダウンロード時間に応じたコンテンツ受信場所でダウンロードをすることを利用しているため、特別推奨情報としてのコンテンツ受信場所種別Ｄ２００３とコンテンツ受信場所情報Ｄ２００９が表示されており、関連をもって目立つ表示となっている。これにより、関連する情報が一目で認識され、選択決定する際に便利である。
【００６０】
そして、コンテンツ受信場所をＤ２００４に示される一覧の中から選択するが、本実施形態では、要求したダウンロード時間に応じたコンテンツ受信場所の一覧を表示しているので、コンテンツ受信場所を選択する際の判断基準として用いることができる。
Ｄ２００５は特別推奨情報キャンセルボタンであり、ユーザが表示されたコンテンツ受信場所に立ち寄りたくないときは本ボタンＤ２００５を押すことにより特別推奨情報をキャンセルし、現在位置からの直線距離の近い順にコンテンツ受信場所の一覧を表示する。
Ｄ２００６は自車位置周辺の地図、Ｄ２００７は自車位置を表すアイコン、Ｄ２００８はコンテンツ受信場所の位置を示すアイコンである。これらの表示は、コンテンツ受信場所についての付加情報として利用することができる。
【００６１】
次に図２１を参照しながらセンターシステム１９５０の処理フローを説明する。図２１は本実施形態に係るセンターシステム１９５０における情報処理手順を示すフローチャートである。
【００６２】
まず、ステップＦ２１０１にてユーザの車載端末装置１９００からコンテンツ要求を受けると、管理サーバ１９５３は、コンテンツサーバ１９５５ｂに、要求されたコンテンツが配信可能であるか問い合わせる（ステップＦ２１０２）。ここで、コンテンツ配信が不可能であれば、車載端末装置１９００にコンテンツが利用できないことを通知する（ステップＦ２１０４）。
ステップＦ２１０３において、コンテンツ配信が可能であれば、次に車載端末装置１９００からコンテンツ受信場所選択基準を受信する（ステップＦ２１０５）。本実施形態においては、ダウンロード時間に応じたコンテンツ受信場所でダウンロードをすることという条件に基づき、管理サーバ１９５３に併設されたダウンロード時間対応処理記憶装置１９５６を用いてダウンロードコンテンツサイズに応じてコンテンツ受信時間を決定する。（ステップＦ２１０６）。そして、この調査結果に基づき、コンテンツ受信場所一覧を作成する（ステップＦ２１０７）。例えば、ダウンロードするファイルサイズが大きいときは、喫茶店に誘導し、ダウンロード待ち時間にお茶を飲むなどが考えられる。このとき、コンテンツ要求車両の現在位置からの直線距離の短い順のコンテンツ受信場所一覧もあわせて作成する（ステップＦ２１０７）。
ステップＦ２１０７にて作成したコンテンツ一覧を車載端末装置１９００に通知し（ステップＦ２１０８）、コンテンツ受信場所の決定結果を車載端末装置１９００より受信する（Ｆ２１０９）。その後、課金処理を行い（ステップＦ２１１０）、コンテンツサーバ１９５５ｂにコンテンツ配信を要求する（ステップＦ２１１１）。また、車載端末装置１９００に受付完了通知を送信する。（ステップＦ２１１２）。
【００６３】
次に図２２を参照しながら車載端末装置１９００の処理フローを説明する。図２２は本実施形態に係る車載端末装置１９００における情報処理手順を示すフローチャートである。
【００６４】
まず、図２０に示す車載端末装置１９００の表示手段１９１１にコンテンツ一覧を表示する（ステップＦ２２０１）。ユーザは表示されたコンテンツ一覧から欲しいコンテンツを選択し、コンテンツが選択されたら、車載端末装置１９００は管理サーバ１９５３にコンテンツが利用可能であるか問い合わせる(ステップＦ２２０２)。
【００６５】
要求したコンテンツが利用可能でない旨の通知を受けたときは、車載端末装置１９００にコンテンツが利用できない旨を表示する（ステップＦ２２０４）。
ステップＦ２２０３において、コンテンツが利用可能であるときは、コンテンツ受信場所選択基準として「ダウンロード時間に応したコンテンツ受信場所でダウンロードをすること」を管理サーバ１９５３に通知する（ステップＦ２２０５）。
管理サーバ１９５３では、ダウンロード時間対応処理記憶装置１９５６にしたがい、ファイルサイズに応じて予測されるダウンロード時間に対応したコンテンツ受信場所特別推奨一覧とコンテンツ要求車両からの直線距離の短い順にコンテンツ受信場所一覧を作成し、車載端末装置１９００に送信する。
車載端末装置１９００は、コンテンツ受信場所特別推奨一覧および、コンテンツ受信場所一覧を受信し（ステップＦ２２０６）、コンテンツ受信場所特別推奨一覧を表示部分Ｄ２００９に表示する（ステップＦ２２０７）。
ここで、ユーザが表示中のコンテンツ受信場所特別推奨一覧より選択せずに、特別推奨情報キャンセルボタンＤ２００５を押した場合、直線距離に基づく一覧を表示する（ステップＦ２２０９）。
ステップＦ２２０８においてコンテンツ受信場所特別推奨一覧より所望のコンテンツ受信場所を選択した場合又はステップＦ２２０９にて表示された直線距離一覧から所望のコンテンツ受信場所を選択した場合、車載端末装置１９００は選択されたコンテンツ受信場所を管理サーバ１９５３に通知する（ステップＦ２２１０）。
そして、管理サーバ１９５３より受付完了通知を受け取り（ステップＦ２２１１）、コンテンツ受信場所へ移動して、当該コンテンツ受信場所でコンテンツを受け取ることにより以上の処理を終了する（ステップＦ２２１２）。
このように、本実施形態によれば、ダウンロードに要する時間が長いときであってもダウンロード中の待ち時間を無駄に過ごすことがない。
【００６６】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【図１】本発明の第１実施形態のコンテンツ提供エリアの提示方法を用いた提示システムの構成を示すシステムブロック図である。
【図２】本発明の第１実施形態における車載端末装置の表示の一例を示す図である。
【図３】本発明の第１実施形態に係るセンターシステムにおける情報処理手順を示すフローチャートである。
【図４】本発明の第１実施形態に係る車載端末装置における情報処理手順を示すフローチャートである。
【図５】本発明の第２実施形態のコンテンツ提供エリアの提示方法を用いた提示システムの構成を示すシステムブロック図である。
【図６】本発明の第２実施形態における車載端末装置の表示の一例を示す図である。
【図７】本発明の第２実施形態に係る車載端末装置における情報処理手順を示すフローチャートである。
【図８】本発明の第３実施形態のコンテンツ提供エリアの提示方法を用いた提示システムの構成を示すシステムブロック図である。
【図９】本発明の第３実施形態における車載端末装置の表示の一例を示す図である。
【図１０】本発明の第３実施形態に係る車載端末装置における情報処理手順を示すフローチャートである。
【図１１】本発明の第４実施形態のコンテンツ提供エリアの提示方法を用いた提示システムの構成を示すシステムブロック図である。
【図１２】本発明の第４実施形態における車載端末装置の表示の一例を示す図である。
【図１３】本発明の第４実施形態に係るセンターシステムにおける情報処理手順を示すフローチャートである。
【図１４】本発明の第４実施形態に係る車載端末装置における情報処理手順を示すフローチャートである。
【図１５】本発明の第５実施形態のコンテンツ提供エリアの提示方法を用いた提示システムの構成を示すシステムブロック図である。
【図１６】本発明の第５実施形態における車載端末装置の表示の一例を示す図である。
【図１７】本発明の第５実施形態に係るセンターシステムにおける情報処理手順を示すフローチャートである。
【図１８】本発明の第５実施形態に係る車載端末装置における情報処理手順を示すフローチャートである。
【図１９】本発明の第６実施形態のコンテンツ提供エリアの提示方法を用いた提示システムの構成を示すシステムブロック図である。
【図２０】本発明の第６実施形態における車載端末装置の表示の一例を示す図である。
【図２１】本発明の第６実施形態に係るセンターシステムにおける情報処理手順を示すフローチャートである。
【図２２】本発明の第６実施形態に係る車載端末装置における情報処理手順を示すフローチャートである。
【符号の説明】
１００…車載端末装置
１０１…制御部
１０２…無線通信装置
１０３…目的地入力手段
１０４…道路地図データ
１０５…現在位置取得装置
１０６…走行経路計算装置
１０７…走行経路記憶装置
１０８…コンテンツ選択手段
１０９…コンテンツ受信場所選択基準設定手段
１１０…アクセスポイント選択手段
１１１…表示手段
１５０…センターシステム
１５１…インターネット
１５２ａ…ルータ
１５３…管理サーバ
１５４ａ，ｂ，ｃ…キャッシュサーバ
１５５ａ，ｂ…コンテンツサーバ
【図１】
2004163403.tif 000003
【図２】
2004163403.tif 000004
【図３】
2004163403.tif 000005
【図４】
2004163403.tif 000006
【図５】
2004163403.tif 000007
【図６】
2004163403.tif 000008
【図７】
2004163403.tif 000009
【図８】
2004163403.tif 000010
【図９】
2004163403.tif 000011
【図１０】
2004163403.tif 000012
【図１１】
2004163403.tif 000013
【図１２】
2004163403.tif 000014
【図１３】
2004163403.tif 000015
【図１４】
2004163403.tif 000016
【図１５】
2004163403.tif 000017
【図１６】
2004163403.tif 000018
【図１７】
2004163403.tif 000019
【図１８】
2004163403.tif 000020
【図１９】
2004163403.tif 000021
【図２０】
2004163403.tif 000022
【図２１】
2004163403.tif 000023
【図２２】
2004163403.tif 000024